(57)【特許請求の範囲】
【請求項１】
画像データと前記画像データに関連する他の種類のデータとを記録単位として、それぞれのデータに同一の関連情報を付与してデータ記録媒体に記録する電子カメラに接続される情報処理装置において、
前記電子カメラから、前記画像データの画像を縮小した縮小画像のデータと、当該縮小画像に対応する画像データと同一の関連情報が付与された他の種類のデータの有無を示す情報とを入力する第１の入力手段と、
前記縮小画像のデータと前記他の種類のデータの有無を示す情報とに基づいて、前記縮小画像と前記他の種類のデータの有無を示すアイコンとを関連付けて表示する表示領域と、前記画像データを前記電子カメラから取り込むための取り込みボタンを表示する表示領域とを含む第１操作画面の情報を生成する表示情報生成手段と、
手動操作に基づいて、前記同一の関連情報が付与された他の種類のデータのうち前記電子カメラから入力するデータを選択する選択手段と、
前記取り込みボタンに対する手動操作に基づいて、前記電子カメラから、前記画像データと前記選択手段により選択された前記他の種類のデータとを入力する第２の入力手段と
を有することを特徴とする情報処理装置。
【請求項２】
前記表示情報生成手段は、前記画像データのファイル名情報と前記他の種類のデータの有無を示すアイコンとを関連付けて表示する表示領域と、前記取り込みボタンを表示する表示領域とを含む第２操作画面の情報を生成するとともに、手動操作に基づいて前記第１の操作画面と前記第２の操作画面とを切り替える
ことを特徴とする請求項１に記載の情報処理装置。
【請求項３】
画像データと前記画像データに関連する他の種類のデータとを記録単位として、それぞれのデータに同一の関連情報を付与してデータ記録媒体に記録する電子カメラに接続される情報処理装置が、
前記電子カメラから、前記画像データの画像を縮小した縮小画像のデータと、当該縮小画像に対応する画像データと同一の関連情報が付与された他の種類のデータの有無を示す情報とを入力し、
前記縮小画像のデータと前記他の種類のデータの有無を示す情報とに基づいて、前記縮小画像と前記他の種類のデータの有無を示すアイコンとを関連付けて表示する表示領域と、前記画像データを前記電子カメラから取り込むための取り込みボタンを表示する表示領域とを含む第１操作画面の情報を生成し、
手動操作に基づいて、前記同一の関連情報が付与された他の種類のデータのうち前記電子カメラから入力するデータを選択し、
前記取り込みボタンに対する手動操作に基づいて、前記電子カメラから、前記画像データと選択した前記他の種類のデータとを入力する
ことを特徴とする情報処理方法。
【請求項４】
画像データと前記画像データに関連する他の種類のデータとを記録単位として、それぞれのデータに同一の関連情報を付与してデータ記録媒体に記録する電子カメラに接続される情報処理装置のコンピュータに、
前記電子カメラから、前記画像データの画像を縮小した縮小画像のデータと、当該縮小画像に対応する画像データと同一の関連情報が付与された他の種類のデータの有無を示す情報とを入力し、
前記縮小画像のデータと前記他の種類のデータの有無を示す情報とに基づいて、前記縮小画像と前記他の種類のデータの有無を示すアイコンとを関連付けて表示する表示領域と、前記画像データを前記電子カメラから取り込むための取り込みボタンを表示する表示領域とを含む第１操作画面の情報を生成し、
手動操作に基づいて、前記同一の関連情報が付与された他の種類のデータのうち前記電子カメラから入力するデータを選択し、
前記取り込みボタンに対する手動操作に基づいて、前記電子カメラから、前記画像データと選択した前記他の種類のデータとを入力する
ステップを含む処理を実行させるためのプログラムが記録されている記録媒体。
【発明の詳細な説明】
【０００１】
【発明の属する技術分野】
本発明は、情報処理装置、情報処理方法、および、記録媒体に関し、特に、所定のシステムを構成する電子機器から入力されるメイン画像データ、サブ画像データ、または、音声データに対して所定の処理を施す情報処理装置、情報処理方法、および、記録媒体に関する。
【０００２】
【従来の技術】
例えば、従来の電子カメラにおいては、撮影された被写体の画像をディジタル化した後、所定の方式によりデータ圧縮を施してメモリや記録媒体等に記録するようになされていた。
【０００３】
このような電子カメラに記録された画像は、パーソナルコンピュータ等に読み込むことが可能であり、パーソナルコンピュータに具備されている種々の機能を活用して、読み込まれた画像に対して様々な処理を施すことが可能である。
【０００４】
【発明が解決しようとする課題】
近年、実装技術の進歩等に伴って、被写体の画像（以下、適宜メイン画像という）だけではなく、被写体の画像に重畳されて記録されたメモなどのサブ画像や、音声などの情報も同時に記録可能な電子カメラが実現されつつある。
【０００５】
このような電子カメラ等においては、メイン画像（被写体の画像）に付随してサブ画像と音声が記録されているので、例えば、電子カメラに記録されている情報をパーソナルコンピュータに読み込んで一覧表示する場合、適当な表示方法が確立されていないという課題があった。
【０００６】
本発明は、以上のような状況に鑑みてなされたものであり、メイン画像以外にも複数の情報を記録可能な、例えば、電子カメラ等からパーソナルコンピュータに情報を読み込んで、理解しやすい形態で一覧表示を可能とするものである。
【０００７】
【課題を解決するための手段】
請求項１に記載の情報処理装置は、画像データと画像データに関連する他の種類のデータとを記録単位として、それぞれのデータに同一の関連情報を付与してデータ記録媒体に記録する電子カメラに接続される情報処理装置において、電子カメラから、画像データの画像を縮小した縮小画像のデータと、当該縮小画像に対応する画像データと同一の関連情報が付与された他の種類のデータの有無を示す情報とを入力する第１の入力手段と、縮小画像のデータと他の種類のデータの有無を示す情報とに基づいて、縮小画像と他の種類のデータの有無を示すアイコンとを関連付けて表示する表示領域と、画像データを電子カメラから取り込むための取り込みボタンを表示する表示領域とを含む第１操作画面の情報を生成する表示情報生成手段と、手動操作に基づいて、同一の関連情報が付与された他の種類のデータのうち電子カメラから入力するデータを選択する選択手段と、取り込みボタンに対する手動操作に基づいて、電子カメラから、画像データと選択手段により選択された他の種類のデータとを入力する第２の入力手段とを有することを特徴とする。
【０００８】
請求項３に記載の情報処理方法は、画像データと画像データに関連する他の種類のデータとを記録単位として、それぞれのデータに同一の関連情報を付与してデータ記録媒体に記録する電子カメラに接続される情報処理装置が、電子カメラから、画像データの画像を縮小した縮小画像のデータと、当該縮小画像に対応する画像データと同一の関連情報が付与された他の種類のデータの有無を示す情報とを入力し、縮小画像のデータと他の種類のデータの有無を示す情報とに基づいて、縮小画像と他の種類のデータの有無を示すアイコンとを関連付けて表示する表示領域と、画像データを電子カメラから取り込むための取り込みボタンを表示する表示領域とを含む第１操作画面の情報を生成し、手動操作に基づいて、同一の関連情報が付与された他の種類のデータのうち電子カメラから入力するデータを選択し、取り込みボタンに対する手動操作に基づいて、電子カメラから、画像データと選択した他の種類のデータとを入力することを特徴とする。
【０００９】
請求項４に記載の記録媒体に記録されているプログラムは、画像データと画像データに関連する他の種類のデータとを記録単位として、それぞれのデータに同一の関連情報を付与してデータ記録媒体に記録する電子カメラに接続される情報処理装置のコンピュータに、電子カメラから、画像データの画像を縮小した縮小画像のデータと、当該縮小画像に対応する画像データと同一の関連情報が付与された他の種類のデータの有無を示す情報とを入力し、縮小画像のデータと他の種類のデータの有無を示す情報とに基づいて、縮小画像と他の種類のデータの有無を示すアイコンとを関連付けて表示する表示領域と、画像データを電子カメラから取り込むための取り込みボタンを表示する表示領域とを含む第１操作画面の情報を生成し、手動操作に基づいて、同一の関連情報が付与された他の種類のデータのうち電子カメラから入力するデータを選択し、取り込みボタンに対する手動操作に基づいて、電子カメラから、画像データと選択した他の種類のデータとを入力するステップを含む処理を実行させる。
【００１０】
【発明の実施の形態】
図１は、本発明の情報処理装置の一実施の形態の構成例を示す図である。この図において、パーソナルコンピュータ１は、複数の周辺装置（電子機器）と情報システムを構成するように接続されており、これらの周辺装置からデータを入力するとともに、処理したデータを所望の周辺装置に対して出力するようになされている。
【００１１】
ＣＲＴ（Cathode Ray Tube）ディスプレイ２は、パーソナルコンピュータ１から出力される画像信号を表示出力するようになされている。
【００１２】
キーボード３（指定手段）は、パーソナルコンピュータ１に所定の情報を入力する際に操作されるようになされている。プリンタ４は、パーソナルコンピュータ１から出力されるテキストデータや画像データなどを、用紙に印字または印刷するようになされている。
【００１３】
電子カメラ５は、被写体の画像であるメイン画像、メイン画像に対して補助的な役割を果たす、例えば、メモなどのサブ画像、および、音声情報を所定の方式によりそれぞれ圧縮して記録するようになされている。電子カメラ５に記録されている情報は、入出力ポートを介して、パーソナルコンピュータ１に転送可能とされている。また、逆にパーソナルコンピュータ１から電子カメラ５に対して所定の制御コマンドを送信することにより、電子カメラを制御することも可能とされている。
【００１４】
ハードディスク装置６は、大容量の外部記憶装置であり、パーソナルコンピュータ１から出力される情報を記録するとともに、記録された情報をパーソナルコンピュータ１からの要求に従って読み出すようになされている。
【００１５】
スピーカ７は、例えば、電子カメラ５などから出力された音声データ（ディジタルデータ）を入力し、所定の処理を施した後、対応する音声を出力するようになされている。即ち、パーソナルコンピュータ１から供給された音声データは、スピーカ７に内蔵されているＤ／Ａ変換器によりアナログ信号に変換され、得られたアナログ信号が同じく内蔵されているアンプにより所定のゲインで増幅された後、音声として出力される。
【００１６】
図２は、図１に示すパーソナルコンピュータ１の詳細な構成の一例を示すブロック図である。
【００１７】
この図において、図１における場合と同一の部分には、同一の符号が付してあるのでその説明は適宜省略する。
【００１８】
図２に示すように、パーソナルコンピュータ１は、ＣＰＵ（Central Processing Unit）２０（関連づけ手段、表示情報生成手段）、ＲＯＭ（Read Only Memory）２１、ＲＡＭ（Random Access Memory）２２、ＶＲＡＭ（Video Random Access Memory）２３（出力手段）、および、インターフェース（Ｉ／Ｆ）２４（第１の入力手段、第２の入力手段）により構成されている。
【００１９】
ＣＰＵ２０は、各種演算を実行するとともに、装置全体の制御を行うようになされている。ＲＯＭ２１は、例えば、ＩＰＬ（Initial Program Loader）などのプログラムなどを記憶している。パーソナルコンピュータ１に電源が投入されると、ＣＰＵ２０はこのＩＰＬを実行し、ハードディスク装置６などからＯＳ（Operating System）などのプログラムをロードするようになされている。
【００２０】
ＲＡＭ２２は、ＣＰＵ２０が演算等を行う際に、データなどが一時的に格納されるとともに、ハードディスク装置６に格納されているプログラムの一部が逐次読み込まれて記憶されるようになされている。
【００２１】
ＶＲＡＭ２３は、例えば、文字などのテキストデータと、図形や画像などのグラフィックデータが重畳されたビットマップデータが格納されるようになされている。ＶＲＡＭ２３に格納されているビットマップデータは、画像信号に変換された後、ＣＲＴディスプレイ２に出力される。
【００２２】
Ｉ／Ｆ２４には、キーボード３、プリンタ４、電子カメラ５、ハードディスク装置６、および、スピーカ７などの周辺装置が接続されており、Ｉ／Ｆ２４は、各周辺装置におけるデータ形式と、パーソナルコンピュータ１におけるデータ形式を相互に変換し、これらの間でデータの授受が可能となるようになされている。
【００２３】
なお、Ｉ／Ｆ２４には、周辺装置を接続するための複数の入出力ポートが設けられており、１つのポートに対して１つの周辺装置が接続されている。ＣＰＵ２０は、これらの入出力ポートを介して各周辺装置との間で情報の授受を行う。
【００２４】
図３は、図１に示す電子カメラ５の詳細な構成の一例を示すブロック図である。この図に示すように、電子カメラ５は、ＣＰＵ４０、ＲＯＭ４１、ＲＡＭ４２、ＶＲＡＭ４３、ＬＣＤ４４、Ｉ／Ｆ４５、入力部４６、マイク４７、Ａ／Ｄ変換器４８、ＣＣＤ（Charge Coupled Device）４９、光学系駆動部５０、および、フラッシュランプ駆動部５１により構成されている。
【００２５】
ＣＰＵ４０は、各種演算を実行するとともに、装置全体の制御を行うようになされている。ＲＯＭ４１には、ＣＰＵ４０が実行する各種プログラムが記憶されている。
【００２６】
ＲＡＭ４２は、被写体の画像（メイン画像）、メモなどのデータ（サブ画像）、および、音声などのデータを格納するようになされている。また、ＲＡＭ４２は、ＣＰＵ４０が演算等を行う際に、データ等を一時的に格納するようになされている。
【００２７】
ＶＲＡＭ４３は、例えば、文字などのテキストデータと、図形や画像などのグラフィックデータが重畳されたビットマップデータが格納されるようになされている。ＶＲＡＭ４３に格納されているビットマップデータは、画像信号に変換された後、ＬＣＤ（Liquid Crystal Display）４４に出力される。
【００２８】
ＬＣＤ４４は、ＶＲＡＭ４３に記憶されているビットマップに対応する画像を表示出力するようになされている。
【００２９】
Ｉ／Ｆ４５には、入力部４６、Ａ／Ｄ変換器４８、ＣＣＤ４９、光学系駆動部５０、フラッシュランプ５１、および、外部のパーソナルコンピュータ１が接続されている。ＣＰＵ４０は、Ｉ／Ｆ４５を介してこれらの装置を駆動するようになされている。
【００３０】
入力部４６は、例えば、メモ情報などを入力する際に使用されるタッチタブレットや撮影の際に操作されるレリーズボタンなどにより構成されている。
【００３１】
マイク４７は、音声を対応する電気信号に変換し、Ａ／Ｄ変換器４８に供給するようになされている。Ａ／Ｄ変換器４８は、マイク４７から入力される音声信号をディジタル信号に変換し、Ｉ／Ｆ４５に供給するようになされている。
【００３２】
ＣＣＤ４９は、図示せぬ光学系を介して入射された被写体からの光像を、対応する電気信号（画像信号）に変換して出力するようになされている。
【００３３】
光学系駆動部５０は、ＣＰＵ４０により制御され、図示せぬ光学系を構成しているレンズを適宜制御することにより、オートフォーカスやオートズームなどを行うようになされている。
【００３４】
フラッシュランプ駆動部５１は、同様にＣＰＵ４０により制御され、図示せぬフラッシュランプを点灯するようになされている。
【００３５】
図４は、図３に示すＲＡＭ４２に記憶される、メイン画像データ、サブ画像データ、および、音声データの格納形式の概要を説明する図である。
【００３６】
この図に示すように、所定のメイン画像と同時に録音された音声データ、または、所定のメイン画像に対して書き込まれたメモなどのサブ画像に対しては、同一のインデックス（関連）情報（例えば、Ｍ００００００１など）が付与されており、データ相互の関連付けがなされている。
【００３７】
例えば、この図において、左端のメイン画像データ、その下の音声データ、および、更にその下のサブ画像データに対しては、同一のインデックスであるＭ００００００１が付与されている。また、その右隣りのメイン画像データとその下の音声データには、インデックスＭ００００００２が付与されている。
【００３８】
更に右隣りのメイン画像データは、音声データおよびサブ画像データを付随しておらず、メイン画像だけより構成されている。また、そのインデックスは、Ｍ００００００４とされている。
【００３９】
その右隣りのメイン画像データは、音声データのみを付随しており、それぞれのデータには、インデックスＭ００００００５が付与されている。
【００４０】
なお、これらのインデックス情報は、メイン画像が撮影された際に、ＣＰＵ４０が生成し、各データに対して付与するようになされている。
【００４１】
図５は、以上のようなデータが図３に示すＲＡＭ４２に格納される際の、格納の一態様を示している。
【００４２】
図５（Ａ）に示すように、ＲＡＭ４２には、メイン画像データ、サブ画像データ、および音声データが混在する形で格納されている。
【００４３】
図５（Ｂ）は、メイン画像１のデータの構造を示している。この図に示すように、メイン画像データは、ヘッダ情報と画像データにより構成されている。ヘッダ情報は、前述のインデックス情報、データの種類を示す情報、撮影日時を示す情報、データが格納されている領域のスタートアドレスを示す情報、および、画像データのデータ長を示す情報などにより構成されている。
【００４４】
この例では、インデックス情報としてＭ００００００１が付与されており、データの種類はメイン画像データである。また、撮影日時は、１９９６年９月１８日の６時１５分（１９９６／９／１８  ６：１５）である。更に、画像データが格納されている領域のスタートアドレスは＄００００であり、データ長は＄１５００である。
【００４５】
なお、＄は、それ以降の数字が１６進法で表記されていることを示している。
【００４６】
また、サブ画像データおよび音声データのデータ構造も、データの種類が異なる以外は、図５（Ｂ）に示す場合と同様の構成とされている。
【００４７】
次に、図６に示すフローチャートを参照して、図２および図３に示す実施の形態の動作について説明する。図６のフローチャートに示すプログラムは、ハードディスク装置６に記憶されている。なお、本プログラムは、予めハードディスク装置６に記憶された状態で使用者に供給されてもよいし、ハードディスク装置６にコピー可能なようにＣＤ−ＲＯＭ（Compact Disc-ROM）などに記憶された状態で使用者に供給されてもよい。
【００４８】
図６のフローチャートに示すプログラムは、図２に示すパーソナルコンピュータ１において実行される。この処理が実行されると、ステップＳ１において、パーソナルコンピュータ１のＣＰＵ２０は、Ｉ／Ｆ２４を介して電子カメラ５に制御コマンドを送出する。その結果、電子カメラ５のＣＰＵ４０は、ＲＡＭ４２に格納されているデータの中から、第１番目のメイン画像データを検索し、そのヘッダ情報をＩ／Ｆ４５を介して、パーソナルコンピュータ１に送出する。その結果、パーソナルコンピュータ１は、メイン画像のヘッダ情報を取得することになる。
【００４９】
ステップＳ２では、パーソナルコンピュータ１のＣＰＵ２０は、取得したメイン画像のヘッダ情報からインデックスを抽出し、ステップＳ３に進む。
【００５０】
ステップＳ３では、パーソナルコンピュータ１のＣＰＵ２０は、前述の場合と同様の順序で、制御コマンドをＩ／Ｆ２４を介して電子カメラ５に送出する。電子カメラ５のＣＰＵ４０は、受信した制御コマンドに従って、先に送出したメイン画像と同一のインデックスを有する音声データを検索する。そして、同一のインデックスを有する音声データの有無をパーソナルコンピュータ１に通知する。
【００５１】
パーソナルコンピュータ１のＣＰＵ２０は、電子カメラ５からの信号を受信し、同一のインデックスを有する音声情報が存在するか否かを判定する。その結果、同一のインデックスを有する音声情報が存在する（ＹＥＳ）と判定した場合は、ステップＳ４に進み、また、存在しない（ＮＯ）と判定した場合には、ステップＳ５に進む。
【００５２】
ステップＳ５では、ＣＰＵ２０は、ＶＲＡＭ２３に対して所定のデータを書き込むことにより、音声データを示すアイコンをデフォルトの表示色によりＣＲＴディスプレイ上に表示させる。そして、ステップＳ６に進む。
【００５３】
また、ステップＳ４では、ＣＰＵ２０は、ＶＲＡＭ２３に対して所定のデータを書き込むことにより、音声データを示すアイコンをデフォルトとは異なる表示色によりＣＲＴディスプレイ上に表示させる。そして、ステップＳ６に進む。
【００５４】
図７は、図６の処理によりＣＲＴディスプレイ２に表示される一覧表の中間画像の写真である。
【００５５】
この表示例では、「Harmony Browser」と題されたブラウザウィンドウ９５内に、メイン画像が所定の割合で縮小されたサムネイル画像８１（後述する）と、メイン画像以外のデータの有無を示すアイコン（ボタン）により構成されているサムネイルエリアが複数（電子カメラ５のＲＡＭ２２に記録されている数だけ）表示されている。
【００５６】
図中に、その一部を拡大して示すように、サムネイルエリア８０は、前述したサムネイル画像８１、インデックス（Ｍ０００００２５）８２、情報ボタン（ｉが表示されているボタン）８３、サウンドボタン（スピーカが表示されているボタン）、および、オーバーレイボタン（ＯＬが表示されているボタン）８５により構成されている。
【００５７】
ステップＳ４またはステップＳ５の処理が実行されると、新たなサムネイルエリア８０がブラウザウィンドウ９５内に表示されるとともに、サウンドボタン８４が表示される。ステップＳ４の処理では、このサウンドボタン８４は、音声情報があることを示すために、デフォルトとは異なる表示色（例えば、緑色）で表示される。また、ステップＳ５の処理では、音声情報が無いことを示すために、デフォルトの表示色（例えば、黒色）で表示される。
【００５８】
なお、サムネイルエリア８０のボタンと、ブラウザウィンドウ９５の左上のボタンの機能については後述する。
【００５９】
図６に戻って、ステップＳ６では、パーソナルコンピュータ１のＣＰＵ２０は、電子カメラ５に制御コマンドを送出し、ステップＳ３の場合と同様に、メイン画像データと同一のインデックスを有するサブ画像データが存在するか否かを検索させる。
【００６０】
その結果、電子カメラ５からの応答に基づいて、パーソナルコンピュータ１のＣＰＵ２０が、同一のインデックスを有するサブ画像データが存在する（ＹＥＳ）と判定した場合には、ステップＳ７に進み、また、サブ画像データが存在しない（ＮＯ）と判定した場合には、ステップＳ８に進む。
【００６１】
ステップＳ７では、サブ画像データが存在することを示すために、図７に示すオーバーレイボタン８５が、デフォルトとは異なる表示色（例えば、緑色）で表示される。また、ステップＳ８では、サブ画像が存在しないことを示すために、オーバーレイボタン８５がデフォルトの表示色（例えば、黒色）で表示されることになる。
【００６２】
そして、ステップＳ９に進み、パーソナルコンピュータ１のＣＰＵ２０は、電子カメラ５にサムネイル画像を送信させるための制御コマンドを送出する。その結果、電子カメラ５のＣＰＵ４０は、ＲＡＭ４２に格納されているメイン画像データを所定の割合で縮小してサムネイル画像を生成し、Ｉ／Ｆ４５を介してパーソナルコンピュータ１に送出する。パーソナルコンピュータ１は、電子カメラ５から送信されたサムネイル画像データを受信する。
【００６３】
ステップＳ１０では、パーソナルコンピュータ１のＣＰＵ２０は、受信したサムネイル画像データをＶＲＡＭ２３の所定の領域に書き込む。その結果、図７に示すサムネイル画像８１がＣＲＴディスプレイ２に表示されることになる。
【００６４】
続くステップＳ１１では、パーソナルコンピュータ１のＣＰＵ２０は、電子カメラ５に対して所定の制御コマンドを送出し、メイン画像データがまだ存在するか否かを判定する。即ち、パーソナルコンピュータ１から送信された制御コマンドを受信した電子カメラ５のＣＰＵ４０は、まだＣＲＴディスプレイ２に表示されていないメイン画像データをＲＡＭ４２から検索する。検索の結果はＩ／Ｆ４５を介してパーソナルコンピュータ１に送出される。
【００６５】
パーソナルコンピュータ１のＣＰＵ２０は、検索の結果を受信し、メイン画像データがまだ存在しているか否かを判定する。その結果、メイン画像データが存在する（ＹＥＳ）と判定した場合には、ステップＳ１に戻り前述の場合と同様の処理を繰り返す。また、メイン画像データが存在しない（ＮＯ）と判定して場合には処理を終了する（エンド）。
【００６６】
以上のような処理によれば、図７に示すように、同一のインデックスを有するデータが相互に関連づけられて画面上に表示されることになるので、電子カメラ５に記録されているデータを、ユーザが直感的に把握することが可能となる。
【００６７】
なお、ここで、図７に示すブラウザウィンドウ９５に具備されている各種ボタンの機能について簡単に説明しておく。
【００６８】
図中左上に表示されている４つのボタンは、左上から時計回りに、それぞれ、シャッタボタン８６、取り込みボタン８７、保存ボタン８８、および、消去ボタン８９である。
【００６９】
シャッタボタン８６は、電子カメラ５のシャッタを切るためのボタンであり、このボタンが押圧されると、電子カメラ５は、現在合焦している被写体を撮影するようになされている。
【００７０】
取り込みボタン８７は、電子カメラ５からフルサイズの画像（画素が間引きされていない画像）を読み込むようになされている。
【００７１】
保存ボタン８８は、指定されたメイン画像と、それに付随する、サブ画像、または音声を、図２に示すハードディスク装置６に記録する際に操作されるようになされている。
【００７２】
消去ボタン８９は、指定されたサムネイルエリアに表示されているデータを、電子カメラ５のＲＡＭ４２から消去するようになされている。
【００７３】
その下に表示されている（Show Thumbnails）は、その左側に表示されている四角形の中をチェックすると、サムネイル画像８１を含むサムネイルエリア８０が表示されるようになされている。なお、四角形の中がチェックされていない場合には、後述するように、ボタン８３乃至８５とインデックス８２のみが表示されることになる。
【００７４】
その次に表示されている（Sort by Time）は、その左側に表示されている円の内部をチェックすると、撮影された日時に応じてサムネイルエリア８０がソートされて表示されるようになされている。
【００７５】
その下に表示されている（Sort by Name）は、その左側に表示されている円の内部をチェックすると、インデックスの大小に応じてサムネイルエリア８０がソートされて表示されるようになされている。
【００７６】
更にその下に表示されている上向きと下向きの２つの矢印を示すボタン９１は、ソートが行われる際に、それぞれ正順または逆順を指定するようになされている。即ち、いま、（Sort by Time）が選択されている（Sort by Time の左側の円の内部がチェックされている）とし、下向きの矢印が押圧されると、記録された日時が古い順に電子カメラ５からデータが読み出され、サムネイルエリア８０が左から右、上から下に逐次表示される。また、上向きの矢印が押圧されると、記録された日時が新しい順にサムネイルエリア８０が表示されることになる。
【００７７】
また、（Sort by Name）が選択されている場合において、下向きの矢印が押圧されると、インデックスの値が小さい順にサムネイルエリア８０が左から右、上から下に逐次表示される。また、上向きの矢印が押圧されると、インデックスの値が大きい順にサムネイルエリア８０が同様に表示されることになる。
【００７８】
次に、図８のフローチャートを参照して、サムネイルエリア８０の上部に表示されている各種ボタンが押圧された場合の処理について説明する。なお、図８のフローチャートに示すプログラムは、図６のフローチャートに示すプログラムと同様に、ハードディスク装置６に記憶されている。
【００７９】
この処理が実行されると、パーソナルコンピュータ１のＣＰＵ２０は、ステップＳ２０において、特定のサムネイルエリア８０が、キーボード３や、図示せぬマウスなどのポインティングデバイスなどにより指定されたか否かを判定する。その結果、特定のサムネイルエリア８０が指定された（ＹＥＳ）と判定した場合は、ステップＳ２１に進み、また、指定されていない（ＮＯ）と判定した場合には、ステップＳ２０に戻り同様の処理を繰り返す。
【００８０】
ステップＳ２１では、再生するデータの種類が設定されることになる。例えば、キーボード３や図示せぬマウスにより、サウンドボタン８４やオーバーレイボタン８５が押圧されると、これらの表示色が、例えば、赤色に変更され、これらの情報は再生されないことを表す。但し、音声データやサブ画像データが含まれていない場合には、これらのボタンを押圧しても表示色は変更されないようになされている。
【００８１】
そして、ステップＳ２２に進み、ＣＰＵ２０は、ブラウザウィンドウ９５の左上に表示されている取り込みボタン８７が押圧されたか否かを判定する。その結果、取り込みボタン８７が押圧された（ＹＥＳ）と判定した場合は、ステップＳ２３に進み、また、押圧されていない（ＮＯ）と判定した場合には、ステップＳ２２に戻り前述の場合と同様の処理を繰り返す。
【００８２】
ステップＳ２３では、パーソナルコンピュータ１のＣＰＵ２０は、サムネイルエリア８０上のボタンにより指定されたデータを、電子カメラ５より読み出す。そして、ステップＳ８１に進み、読み出されたデータを再生することになる。
【００８３】
例えば、いま、音声とサブ画像の双方を含むサムネイルエリア８０（サブ画像および音声が一緒に記録されているメイン画像に対応するサムネイルエリア８０）が指定されたとすると、ステップＳ２０においてＹＥＳと判定され、ステップＳ２１に進む。
【００８４】
そして、ステップＳ２１において、オーバーレイボタン８５のみが押圧されたとすると、オーバーレイボタン８５の表示色が赤色に変更される（サブ画像の読み込みを行わないことを示す）。
【００８５】
続いて、取り込みボタン８７が押圧されると、ステップＳ２２においてＹＥＳと判定され、ステップＳ２３に進む。そして、パーソナルコンピュータ１のＣＰＵ２０は、電子カメラ５に対して所定の制御コマンドを送出し、指定されたサムネイルエリア８０に対応するメイン画像データと、音声データを読み込み（オーバーレイボタン８５が押圧されているのでサブ画像データは読み込まない）、ステップＳ２４に進む。
【００８６】
ステップＳ２４では、指定されたサムネイルエリア８０に対応するメイン画像データが、画面上に新たに表示されたウィンドウ内に表示されるとともに、音声が再生されることになる。そして、処理を終了する（エンド）。
【００８７】
このような処理によれば、電子カメラ５に記録されているデータの中で、必要な情報だけを選択して再生することが可能となるので、不要なデータを再生するための時間を削減することが可能となる。
【００８８】
なお、以上の実施の形態においては、サウンドボタン８４が押圧された場合には、音声情報は不要であると判断され、音声の再生が停止されるように構成したが、例えば、サウンドボタン８４が押圧された場合には、音声のみが電子カメラ５より読み出されて再生されるように構成してもよいことは勿論である。
【００８９】
図９は、図７に示すブラウザウィンドウ９５において、（Show Thumbnails）の左側の四角形内がチェックされていない場合の表示例の中間画像の写真を示している。なお、この表示例では、各メイン画像データが固有のファイル名を有している。この表示例において、図７と同一の部分には同一の符号が付してあるのでその説明は省略する。
【００９０】
この表示例では、ブラウザウィンドウ９５内に、ファイル名１０１、情報ボタン８３、サウンドボタン８４、および、オーバーレイボタン８５により構成されているスモールボックス１００が表示されている。
【００９１】
なお、この表示例における各種ボタンの機能は、図７に示す場合と同様であるのでその説明は省略する。
【００９２】
このような表示方法によれば、サムネイル画像を表示する必要がないので、パーソナルコンピュータ１が電子カメラ５からサムネイル画像データを読み込んで再生処理するのに要する時間を短縮することが可能となり、迅速な表示が可能となる。また、図７の場合と比較して、サムネイル画像が表示されない分だけ表示領域が狭くなるので、多数のファイル名を画面上に一度に表示することが可能となる。その結果、特に、多くのデータが記録されている場合には、データの迅速な選択が可能となる。
【００９３】
【発明の効果】
請求項１に記載の情報処理装置、請求項３に記載の情報処理方法、および、請求項４に記載の記録媒体によれば、電子カメラ等に記録されているデータを迅速に検索または再生することが可能となる。
【図面の簡単な説明】
【図１】本発明の情報処理装置の一実施の形態の構成例を示す図である。
【図２】図１に示すパーソナルコンピュータ１の詳細な構成例を示すブロック図である。
【図３】図１に示す電子カメラ５の詳細な構成例を示すブロック図である。
【図４】図３のＲＡＭ４２に記憶されているデータの概略を示す図である。
【図５】図３のＲＡＭ４２に記憶されているデータの格納の一態様を示す図である。
【図６】図１に示すパーソナルコンピュータ１において実行される処理の一例を説明するフローチャートである。
【図７】図６に示す処理の結果表示される一覧表の中間画像の写真である。
【図８】図７に示す表示例において所定の操作がなされた場合の処理の一例を説明するフローチャートである。
【図９】図７に示す一覧表の他の表示形態を示す中間画像の写真である。
【符号の説明】
３  キーボード（指定手段）
２０  ＣＰＵ（関連づけ手段、表示情報生成手段）
２３  ＶＲＡＭ（出力手段）
２４  Ｉ／Ｆ（第１の入力手段、第２の入力手段）
【図１】
0004476368.tif 000002
【図２】
0004476368.tif 000003
【図３】
0004476368.tif 000004
【図４】
0004476368.tif 000005
【図５】
0004476368.tif 000006
【図６】
0004476368.tif 000007
【図７】
0004476368.tif 000008
【図８】
0004476368.tif 000009
【図９】
0004476368.tif 000010